(57)【要約】【課題】本発明は、生コンクリート骨材の粒度を簡単で、かつ、正確、迅速、安価に測定することにより、生コンクリート骨材の品質を確認することができる生コンクリート骨材撮影方法および生コンクリート骨材撮影装置に関するものである。【解決手段】本発明は、所定範囲の粒径からなる生コンクリート骨材を振動樋を介して透明回転円盤に均等に振り分け、前記生コンクリート骨材を白黒からなる２値化した画像としてデジタルカメラによって得ることができる生コンクリート骨材散布装置である。【選択図】図１
2010038865.tif 000002
【特許請求の範囲】
【請求項１】
サンプリングされた乾燥後の生コンクリート骨材を振動傾斜樋に落下させた後、透明回転円盤に散布させ、
前記透明回転円盤における予め決められた範囲に散布された生コンクリート骨材を前記透明回転円盤の下部からの照明により投影し、
前記投影された生コンクリート骨材をデジタルカメラによって撮影することを特徴とする生コンクリート骨材撮影方法。
【請求項２】
所定角度毎に間欠的に回転する透明回転円盤と、
生コンクリート骨材を前記透明回転円盤に均等に散布させるように振動が与えられた傾斜樋と、
前記透明回転円盤に散布された所定範囲の生コンクリート骨材を撮影するデジタルカメラと、
を少なくとも備えていることを特徴とする生コンクリート骨材撮影装置。
【請求項３】
照明装置およびステッピングモータが組み込まれた基台と、
前記基台上で所定角度毎に間欠的に回転する透明回転円盤と、
振動モータによって振動が与えられている振動台を傾斜アームを介して取り付けられている傾斜樋と、
前記傾斜樋に生コンクリート骨材を落下させる試料ホッパーと、
前記透明回転円盤に散布された所定範囲の生コンクリート骨材を撮影するデジタルカメラと、
を少なくとも備えていることを特徴とする生コンクリート骨材撮影装置。
【請求項４】
前記透明回転円盤は、中心部に錘りを設けるとともに、着脱可能に取り付けられていることを特徴とする請求項２または請求項３に記載された生コンクリート骨材撮影装置。
【請求項５】
前記傾斜樋は、一方が前記振動台に取り付けられ、他方が固定された傾斜アームに設けられているスリット内を振動により移動する突起部を有することを特徴とする請求項２から請求項４のいずれか１項に記載された生コンクリート骨材撮影装置。
【請求項６】
前記傾斜樋は、先端部に突出する複数個からなる棒状部材が設けられていることを特徴とする請求項２から請求項５のいずれか１項に記載された生コンクリート骨材撮影装置。
【発明の詳細な説明】
【技術分野】
【０００１】
本発明は、各方面で広く使用されているコンクリート構造物の構成材料となる生コンクリート骨材の粒度を簡単で、かつ、正確、迅速、安価に測定する際に、生コンクリート骨材の品質を正確に確認することができる生コンクリート骨材撮影方法および生コンクリート骨材撮影装置に関するものである。
【背景技術】
【０００２】
コンクリート構造物の構成材料となるコンクリート骨材の砂粒は、同じふるい分けされたものであっても、様々な形状のものからなる。前記様々な形状からなるコンクリート骨材は、前記コンクリート構築物のそれぞれの用途、目的、強度によって異なり、強度計算上の重要な基礎資料となっている。前記コンクリート骨材の粒径を測定する方法は、日本工業規格（ＪＩＳ  Ａ１１０２）によって、骨材ふるい分け試験方法として定められている。前記ふるい分け試験方法は、サンプリングされたコンクリート骨材を、細骨材と粗骨材とに分けて、それぞれをふるい分けし、粗粒率の算定式に基づいて粒度を算定し、前記コンクリート骨材の良否を判定している。前記日本工業規格（ＪＩＳ  Ａ１１０２）による骨材ふるい分け試験方法は、所望の工事に対する適否、あるいは混合骨材の割合の決定に用いられていた。（非特許文献１参照）
【０００３】
前記日本工業規格（ＪＩＳ  Ａ１１０２）による骨材ふるい分け試験方法は、コンクリート骨材をふるい分けるための、はかり、ふるい、乾燥機、試料の採取、試料の質量、試験方法等細かに規定されている。たとえば、前記ふるい分け試験方法は、メッシュの異なる複数枚のふるいを用意し、細目ふるいを最下部にして、順次に荒目ふるいを上段に重ねて一群となし、電動ふるい機をセットして振り分け、通過しなかったコンクリート骨材をそれぞれのふるい毎に分量をはかりで計量するという複雑な作業があった。
【０００４】
【非特許文献１】本工業規格（ＪＩＳ  Ａ１１０２）
【発明の開示】
【発明が解決しようとする課題】
【０００５】
前記日本工業規格（ＪＩＳ  Ａ１１０２）による骨材ふるい分け試験方法は、標準的なものであり、広く一般に使用されており、さらに、優れた方法が無かった。しかし、前記日本工業規格（ＪＩＳ  Ａ１１０２）による骨材ふるい分け試験方法は、作業の手順を決められた通りに行う必要があり、面倒なだけでなく、個人差が出易いという問題があった。また、前記骨材ふるい分け試験方法は、決められた手順で行った場合、所要時間が長く、しかも、ふるいの網目に砂粒がかかって目詰まりを起こすという問題があり、スムーズな処理が妨げられ、あるいはデータの保存や処理の経過が残せないという問題があった。
【０００６】
粉体の試験方法は、砂粒の面積を真円に置き換えた「等価円直径」を計るもの、前記砂粒の粒径における一番長い部分を「長径」として計るもの、あるいは前記砂粒の四方を辺で囲み、一番長い辺を「最大径」として計るものがあった。前記各計測方法は、粉体の対象により、任意に選ばれており、一長一短があるため、どれが良いかを決めることができなかった。
【０００７】
以上の課題を解決するために、本発明は、生コンクリートの骨材の粒度を確認するための生コンクリート骨材撮影方法および生コンクリート骨材撮影装置を提供することを目的とする。本発明は、生コンクリート骨材を撮影する際に、透明回転円盤上に均一に散布でき、安価、迅速、高精度のデータを容易に得ることができる生コンクリート骨材撮影方法および生コンクリート骨材撮影装置を提供することを目的とする。
【課題を解決するための手段】
【０００８】
（第１発明）
第１発明の生コンクリート骨材撮影方法は、サンプリングされた乾燥後の生コンクリート骨材を振動傾斜樋に落下させた後、透明回転円盤に散布させ、前記透明回転円盤における予め決められた範囲に散布された生コンクリート骨材を前記透明回転円盤の下部からの照明により投影し、前記投影された生コンクリート骨材をデジタルカメラによって撮影することを特徴とする。
【０００９】
（第２発明）
第２発明の生コンクリート骨材撮影装置は、所定角度毎に間欠的に回転する透明回転円盤と、生コンクリート骨材を前記透明回転円盤に均等に散布させるように振動が与えられた傾斜樋と、前記透明回転円盤に散布された所定範囲の生コンクリート骨材を撮影するデジタルカメラとを少なくとも備えていることを特徴とする。
【００１０】
（第３発明）
第３発明の生コンクリート骨材撮影装置は、照明装置およびステッピングモータが組み込まれた基台と、前記基台上で所定角度毎に間欠的に回転する透明回転円盤と、振動モータによって振動が与えられている振動台を傾斜アームを介して取り付けられている傾斜樋と、前記傾斜樋に生コンクリート骨材を落下させる試料ホッパーと、前記透明回転円盤に散布された所定範囲の生コンクリート骨材を撮影するデジタルカメラとを少なくとも備えていることを特徴とする。
【００１１】
（第４発明）
第４発明の生コンクリート骨材撮影装置において、前記透明回転円盤は、中心部に錘りを設けるとともに、着脱可能に取り付けられていることを特徴とする。
【００１２】
（第５発明）
第５発明の生コンクリート骨材撮影装置において、前記傾斜樋は、一方が前記振動台に取り付けられ、他方が固定された傾斜アームに設けられているスリット内を振動により移動する突起部を有することを特徴とする。
【００１３】
（第６発明）
第６発明の生コンクリート骨材撮影装置において、前記傾斜樋は、先端部に突出する複数個からなる棒状部材が設けられていることを特徴とする。
【発明の効果】
【００１４】
本発明によれば、人手によって生コンクリート骨材を散布しないため、デジタルカメラによって撮影できる生コンクリート骨材の分布が均一であり、生コンクリート骨材の評価を安価、迅速、かつ、高精度で行うことができる。
【００１５】
本発明によれば、生コンクリート骨材を透明回転円盤上に投影した画像をデジタルカメラで撮影できるため、前記画像によって生コンクリート骨材の評価を安価、迅速、かつ、高精度で行うことができる。
【００１６】
本発明によれば、生コンクリート骨材が均一に散布されているため、前記生コンクリート骨材の画像データを迅速で高い精度で得ることができるとともに、画像データの処理であるた、記録を容易に残すことができるようになった。
【００１７】
本発明によれば、生コンクリート骨材撮影装置の操作が簡単であるため、処理作業が迅速で、高精度であるにもかかわらず、処理作業に当たる個人差がなく、信頼性の高いデータを得ることができるようになった。
【発明を実施するための最良の形態】
【００１８】
（第１発明）
第１発明の生コンクリート骨材撮影方法は、生コンクリート骨材が常に一定の分布となるように散布されることにより、生コンクリート骨材の評価を正しくするものである。サンプリングされた乾燥後の生コンクリート骨材は、振動している振動傾斜樋に落下した後、透明回転円盤に散布される。前記生コンクリート骨材は、傾斜した振動樋を通過した後、透明回転円盤に散布されるため、手等により、透明回転円盤に散布するより、均一な分布を得ることができる。
【００１９】
また、生コンクリート骨材は、前記透明回転円盤における予め決められた範囲に正確に散布され、前記透明回転円盤の下部からの照明により投影される。さらに、前記投影された生コンクリート骨材は、デジタルカメラによって撮影される。前記均一に分布され、照明により投影された生コンクリート骨材は、デジタルカメラによって撮影され、その粒度を正確、迅速、かつ安価に測定することができる。
【００２０】
（第２発明）
第２発明の生コンクリート骨材撮影装置は、透明回転円盤と、振動が与えられ、生コンクリート骨材を散布する傾斜樋と、前記散布された生コンクリート骨材を撮影するデジタルカメラとから少なくとも構成されている。前記透明回転円盤は、たとえば、ステッピングモータによって、所定角度毎に間欠的に回転する。傾斜樋は、振動が与えられ、生コンクリート骨材を前記透明回転円盤に均等に散布するためのものである。デジタルカメラは、前記透明回転円盤に散布された所定範囲の生コンクリート骨材を撮影する。前記生コンクリート骨材撮影装置は、手によって生コンクリート骨材を散布するものと比較して、均一な分布とすることが容易にできる。
【００２１】
（第３発明）
第３発明の生コンクリート骨材撮影装置は、基台と、前記基台上で回転する透明回転円盤と、生コンクリート骨材を散布する傾斜樋と、前記傾斜樋に生コンクリート骨材を落下させる試料ホッパーと、前記生コンクリート骨材を撮影するデジタルカメラとから少なくとも構成されている。前記基台は、生コンクリート骨材を投影する照明装置および間欠的な回転をさせるためのステッピングモータが組み込まれている。
【００２２】
前記透明回転円盤は、前記ステッピングモータによって、前記基台上を所定角度毎に間欠的に回転する。前記傾斜樋は、振動モータによって振動が与えられている振動台を傾斜アームを介して取り付けられている。前記試料ホッパーは、前記傾斜樋に生コンクリート骨材を落下させる。前記デジタルカメラは、前記透明回転円盤に均一に散布された所定範囲の生コンクリート骨材を撮影する。前記生コンクリート骨材は、前記試料ポッパーから前記傾斜樋への落下、前記傾斜樋の振動、前記傾斜樋から透明回転円盤への散布によって均一になる。
【００２３】
（第４発明）
第４発明の生コンクリート骨材撮影装置は、前記透明回転円盤の中心部に錘りが設けられている。前記中心部の錘は、透明回転円盤の回転を安定にするため、前記生コンクリート骨材の分布がより均一になる。また、前記透明回転円盤は、前記錘の部分を回転させることにより、着脱可能に取り付けられているため、細かい生コンクリート骨材の粉を洗い流すことができる。
【００２４】
（第５発明）
第５発明の生コンクリート骨材撮影装置は、前記傾斜樋の一方が前記振動台に取り付けられ、他方に傾斜アームに設けられているスリット内を移動できる突起部が設けられている。前記傾斜樋の突起部と傾斜アームに設けられたスリットとは、振動モータ等による振動が前記傾斜樋に効率良く伝達される。
【００２５】
（第６発明）
第６発明の生コンクリート骨材撮影装置は、前記傾斜樋の先端部に突出する複数個からなる棒状部材が設けられている。前記棒状部材は、撮影する生コンクリート骨材の粒径によって、長さ、太さ、柔軟性等、および間隔を異なるようにして、生コンクリート骨材の散布をより均一になるようにすることができる。
【実施例】
【００２６】
図１は本発明の実施例で、生コンクリート骨材撮影装置の断面概略図である。図２は本発明の実施例で、生コンクリート骨材撮影装置の平面概略図である。図１および図２において、生コンクリート骨材撮影装置１０は、基台１１と、透明回転円盤１２と、振動が与えられ、生コンクリート骨材を散布する傾斜樋１７と、前記散布された生コンクリート骨材１９１を撮影するデジタルカメラ１４とから少なくとも構成されている。
【００２７】
前記基台１１は、ステッピングモータ１１２および照明装置１１１が埋設されている。前記透明回転円盤１２は、前記基台１１上に設けられているとともに、たとえば、ステッピングモータ１１２によって、所定角度毎に間欠的に回転できるように取り付けられている。また、前記透明回転円盤１２は、前記基台１１に前記ステッピングモータ１１２の回転軸が取り付けられているとともに、錘１１３を螺合することにより、回転を安定するようにしている。さらに、前記透明回転円盤１２は、前記錘１１３を外すことにより、細かい生コンクリート骨材の粉を洗い流すことができる。前記照明装置１１１は、光を投影することにより、透明回転円盤１２上に散布されている生コンクリート骨材を浮き上がらせるようにする。
【００２８】
前記傾斜樋１７は、振動モータ１５の振動が振動台１６を介して振動が与えられるように構成されている。前記傾斜樋１７の一方は、前記振動台１６に取り付けられている。また、前記傾斜樋１７の他方は、傾斜アーム１８に設けられているスリット１８１内を移動できる突起部１８２が設けられている。前記傾斜樋１７の突起部１８２と傾斜アーム１８に設けられたスリット１８１とは、振動モータ１５等による振動が前記傾斜樋１７に効率良く伝達できるような構成になっている。
【００２９】
前記基台１１は、振動台兼試料スタンド２０が設けられている。前記振動台兼試料スタンド２０は、振動台固定部２０２にネジ１８４によって固定されている。また、前記振動台兼試料スタンド２０は、試料高さ調節部２０１によって、試料ホッパー１９の所定の位置に固定できる。前記試料ホッパー１９は、撮影するための所定の大きさの生コンクリート骨材１９１が入っている。
【００３０】
前記生コンクリート骨材１９１は、前記試料ホッパー１９から振動している傾斜樋１７に落下し、傾斜樋１７の振動により、分散された後、前記透明回転円盤１２の所定位置に散布される。前記透明回転円盤１２は、内枠１２１および外枠１２２が設けられており、前記生コンクリート骨材１９１がこれらの間に均等に散布される。
【００３１】
前記デジタルカメラ１４は、カメラ取付部１３２に取り付けられるとともに、前記透明回転円盤１２に散布された所定範囲の生コンクリート骨材を撮影できる位置にカメラスタンド１３と高さ調節部１３１によって位置決めされる。前記透明回転円盤１２は、前記ステッピングモータ１１２により、たとえば、１８度毎間欠的に回転するようになっている。
【００３２】
図３は本発明の傾斜樋の先端部に取り付けるアダプターを説明するための図である。図３において、生コンクリート骨材撮影装置は、前記傾斜樋１７の先端部に突出するようにアダプター１７１が着脱に取り付けられる。前記アダプター１７１は、複数個からなる棒状部材が設けられている。前記棒状部材は、撮影する生コンクリート骨材の粒径によって、長さ、太さ、柔軟性等、および間隔を異なるようにして、生コンクリート骨材の散布をより均一になるようにすることができる。
【００３３】
以上、本実施例を詳述したが、本発明は、前記本実施例に限定されるものではない。そして、本発明は、特許請求の範囲に記載された本発明を逸脱することがなければ、種々の設計変更を行うことが可能である。たとえば、本発明の基板、透明回転円盤、傾斜樋、振動台、傾斜アーム、振動モータ、ステッピングモータ、照明装置、デジタルカメラ等は、周知または公知のものを使用することができる。
【図面の簡単な説明】
【００３４】
【図１】本発明の実施例で、生コンクリート骨材撮影装置の断面概略図である。（実施例１）
【図２】本発明の実施例で、生コンクリート骨材撮影装置の平面概略図である。
【図３】本発明の傾斜樋の先端部に取り付けるアダプターを説明するための図である。
【符号の説明】
【００３５】
１０・・・生コンクリート骨材撮影装置
１１・・・基台
１２・・・透明回転円盤
１３・・・カメラスタンド
１４・・・デジタルカメラ
１５・・・振動モータ
１６・・・振動台
１７・・・傾斜樋
１８・・・傾斜アーム
１９・・・試料ホッパー
２０・・・振動台兼試料スタンド
【図１】
2010038865.tif 000003
【図２】
2010038865.tif 000004
【図３】
2010038865.tif 000005